(57)【要約】【課題】情報を不正利用から保護する。【解決手段】情報通信装置１０は、情報を送信する第２端末３０と、第２端末３０から送信された情報を受信する第１端末２０との間で情報を送受信する。第２端末３０は、復号化した識別情報が記憶している識別情報となる場合に認証する認証部３４と、認証した場合に暗号化された情報を送信する情報送信部３６とを備える。第１端末２０は、暗号化された識別情報を含む要求情報を送信する要求送信部２２と、復号化した情報を表示する情報表示部２５とを備える。【選択図】図１１
2013251762.tif 000002
【特許請求の範囲】
【請求項１】
情報を送信する送信端末と、前記送信端末から送信された情報を受信する受信端末と、の間で情報を送受信する情報通信装置であって、
前記送信端末は、
前記受信端末を識別するための識別情報を予め記憶する識別記憶手段と、
前記受信端末から暗号化された識別情報を含む要求情報を受信する要求受信手段と、
前記要求受信手段が受信した前記要求情報に含まれる前記暗号化された識別情報を復号化する送信側復号化手段と、
前記送信側復号化手段が復号化した識別情報が、前記識別記憶手段が記憶している識別情報となる場合に、前記要求情報を送信した端末が前記受信端末であると認証する認証手段と、
前記受信端末に送信する情報を暗号化する送信側暗号化手段と、
前記認証手段が前記受信端末を認証した場合に、前記送信側暗号化手段が暗号化した情報を送信する情報送信手段と、
を備え、
前記受信端末は、
予め設定された前記識別情報を暗号化する受信側暗号化手段と、
前記受信側暗号化手段が暗号化した識別情報を含む前記要求情報を送信する要求送信手段と、
前記情報送信手段から送信された前記暗号化された情報を受信する情報受信手段と、
前記情報受信手段が受信した前記暗号化された情報を復号化する受信側復号化手段と、
前記受信側復号化手段が復号化した情報を表示する情報表示手段と、
を備える
ことを特徴とする情報通信装置。
【請求項２】
前記送信端末の前記識別記憶手段は、予め設定された前記受信端末の使用者に入力される情報である入力識別情報を含む前記識別情報を記憶し、
前記受信端末の前記要求情報に含まれる識別情報は、前記入力識別情報と、前記受信端末の使用者を識別する情報である個人識別情報と、前記受信端末自体を識別する情報である端末識別情報とを含み、
前記送信端末の前記認証手段は、復号化された前記入力識別情報が前記識別記憶手段が記憶している入力識別情報となる場合に、前記受信端末を認証する、
ことを特徴とする請求項１に記載の情報通信装置。
【請求項３】
前記送信端末の前記識別記憶手段は、前記認証手段が前記受信端末を前記入力識別情報に基づいて認証した場合に、復号化された前記識別情報に含まれる前記個人識別情報と前記端末識別情報とを記憶し、
前記受信端末の前記要求送信手段は、前記入力識別情報に基づく認証が成立してから前記要求情報を再度送信する場合に、前記個人識別情報と前記端末識別情報とが暗号化された前記識別情報を含む前記要求情報を送信し、
前記送信端末の前記認証手段は、復号化された前記識別情報に前記入力識別情報が含まれず、且つ、復号化された個人識別情報が前記識別記憶手段が記憶している個人識別情報となる場合に、前記受信端末を認証する、
ことを特徴とする請求項２に記載の情報通信装置。
【請求項４】
前記送信端末に設けられ、前記認証手段が前記受信端末を前記個人識別情報に基づいて認証し、且つ、復号化された端末識別情報が前記識別記憶手段が記憶している端末識別情報とならない場合に、前記識別記憶手段が記憶している端末識別情報を、復号化された端末識別情報に更新する識別更新手段、
をさらに備えることを特徴とする請求項３に記載の情報通信装置。
【請求項５】
情報を送信する送信端末と、前記送信端末から送信された情報を受信する受信端末と、を備える情報通信システムであって、
前記送信端末は、
前記受信端末を識別するための識別情報を予め記憶する識別記憶手段と、
前記受信端末から暗号化された識別情報を含む要求情報を受信する要求受信手段と、
前記要求受信手段が受信した前記要求情報に含まれる前記暗号化された識別情報を復号化する送信側復号化手段と、
前記送信側復号化手段が復号化した識別情報が、前記識別記憶手段が記憶している識別情報となる場合に、前記要求情報を送信した端末が前記受信端末であると認証する認証手段と、
前記受信端末に送信する情報を暗号化する送信側暗号化手段と、
前記認証手段が前記受信端末を認証した場合に、前記送信側暗号化手段が暗号化した情報を送信する情報送信手段と、
を備え、
前記受信端末は、
予め設定された前記識別情報を暗号化する受信側暗号化手段と、
前記受信側暗号化手段が暗号化した識別情報を含む前記要求情報を送信する要求送信手段と、
前記情報送信手段から送信された前記暗号化された情報を受信する情報受信手段と、
前記情報受信手段が受信した前記暗号化された情報を復号化する受信側復号化手段と、
前記受信側復号化手段が復号化した情報を表示する情報表示手段と、
を備える
ことを特徴とする情報通信システム。
【請求項６】
情報を送信可能な送信端末と、前記送信端末から送信された情報を受信可能な受信端末と、の間で情報を送受信する情報通信方法であって、
前記送信端末が、前記受信端末を識別するための識別情報を予め記憶する識別記憶ステップと、
前記送信端末が、前記受信端末から暗号化された識別情報を含む要求情報を受信する要求受信ステップと、
前記送信端末が、前記要求受信ステップで受信した前記要求情報に含まれる前記暗号化された識別情報を復号化する送信側復号化ステップと、
前記送信端末が、前記送信側復号化ステップで復号化した識別情報が、前記送信端末が記憶している識別情報となる場合に、前記要求情報を送信した端末が前記受信端末であると認証する認証ステップと、
前記送信端末が、前記受信端末に送信する情報を暗号化する送信側暗号化ステップと、
前記送信端末が、前記認証ステップで前記受信端末を認証した場合に、前記送信側暗号化ステップで暗号化した情報を送信する情報送信ステップと、
前記受信端末が、予め設定された前記識別情報を暗号化する受信側暗号化ステップと、
前記受信端末が、前記受信側暗号化ステップで暗号化した識別情報を含む前記要求情報を送信する要求送信ステップと、
前記受信端末が、前記情報送信ステップで送信された前記暗号化された情報を受信する情報受信ステップと、
前記受信端末が、前記情報受信ステップで受信した前記暗号化された情報を復号化する受信側復号化ステップと、
前記受信端末が、前記受信側復号化ステップで復号化した情報を表示する情報表示ステップと、
を備えることを特徴とする情報通信方法。
【発明の詳細な説明】
【技術分野】
【０００１】
本発明は、情報通信装置、情報通信システムおよび情報通信方法に関する。
【背景技術】
【０００２】
著作権等によって利用制限がある情報を送受信する情報通信システムに関して、以下の特許文献１、２に記載の技術が開示されている。
特許文献１には、ユーザが携帯する選局機器と携帯無線機器とを近距離無線通信で接続し、選局機器が受信したテレビ信号を携帯無線機器に送信して携帯無線機器でテレビ放送を視聴するシステムが記載されている。特許文献１では、携帯無線機器と選局機器とを別体で構成することにより、携帯無線機器の大型化・重量化を低減している。また、特許文献１では、携帯無線機器が選局機器にテレビ信号の送信を要求する場合に、携帯無線機器は送信されるテレビ信号の暗号化方針を示す暗号化情報を選局機器に送信し、選局機器は暗号化情報に基づいてテレビ信号を暗号化して携帯無線端末に暗号化されたテレビ信号を送信することにより、ユーザのプライバシーを保護している。
【０００３】
特許文献２には、コンテンツを利用するためのチケットをチケットサーバから獲得した携帯情報端末が、コンテンツサーバからコンテンツデータを獲得してコンテンツを利用するシステムが記載されている。特許文献２では、携帯情報端末がチケットサーバからチケットを獲得する場合に、チケットサーバは暗号化されたチケットを送信してチケットが復号化可能な携帯情報端末以外に取得できないようにしている。また、特許文献２では、コンテンツサーバは、暗号化されたコンテンツデータを、格納したり携帯情報端末に送信したりすることが可能となっており、暗号化されたコンテンツデータを獲得した携帯情報端末は、チケットに含まれるコンテンツデータ復号化キー情報に基づいて復号化することにより、コンテンツが利用可能となっている。
【先行技術文献】
【特許文献】
【０００４】
【特許文献１】特開２００８−３５３５０号公報
【特許文献２】特開２００４−２６５１３９号公報
【発明の概要】
【発明が解決しようとする課題】
【０００５】
特許文献１に記載の技術では、選局機器に近距離無線通信可能な携帯無線機器であれば、ユーザ以外の第三者が携帯する携帯無線機器でも暗号化情報を送信して選局機器からテレビ信号を受信できるため、ユーザにのみ視聴可能なテレビ放送が第三者に視聴される問題がある。また、特許文献２に記載の技術では、不正取得したチケットを格納した携帯情報端末であってもコンテンツデータを受信できるため、チケットの所有者にのみ利用可能なコンテンツが不正取得者に利用される問題がある。
【０００６】
本発明は、上述のような事情に鑑みてなされたものであり、情報を不正利用から保護する情報通信装置、情報通信システムおよび情報通信方法を提供することを目的とする。
【課題を解決するための手段】
【０００７】
上記目的を達成するため、本発明の第１の観点に係る情報通信装置は、
情報を送信する送信端末と、前記送信端末から送信された情報を受信する受信端末と、の間で情報を送受信する情報通信装置であって、
前記送信端末は、
前記受信端末を識別するための識別情報を予め記憶する識別記憶手段と、
前記受信端末から暗号化された識別情報を含む要求情報を受信する要求受信手段と、
前記要求受信手段が受信した前記要求情報に含まれる前記暗号化された識別情報を復号化する送信側復号化手段と、
前記送信側復号化手段が復号化した識別情報が、前記識別記憶手段が記憶している識別情報となる場合に、前記要求情報を送信した端末が前記受信端末であると認証する認証手段と、
前記受信端末に送信する情報を暗号化する送信側暗号化手段と、
前記認証手段が前記受信端末を認証した場合に、前記送信側暗号化手段が暗号化した情報を送信する情報送信手段と、
を備え、
前記受信端末は、
予め設定された前記識別情報を暗号化する受信側暗号化手段と、
前記受信側暗号化手段が暗号化した識別情報を含む前記要求情報を送信する要求送信手段と、
前記情報送信手段から送信された前記暗号化された情報を受信する情報受信手段と、
前記情報受信手段が受信した前記暗号化された情報を復号化する受信側復号化手段と、
前記受信側復号化手段が復号化した情報を表示する情報表示手段と、
を備える
ことを特徴とする。
【０００８】
また、本発明の第２の観点に係る情報通信システムは、
情報を送信する送信端末と、前記送信端末から送信された情報を受信する受信端末と、を備える情報通信システムであって、
前記送信端末は、
前記受信端末を識別するための識別情報を予め記憶する識別記憶手段と、
前記受信端末から暗号化された識別情報を含む要求情報を受信する要求受信手段と、
前記要求受信手段が受信した前記要求情報に含まれる前記暗号化された識別情報を復号化する送信側復号化手段と、
前記送信側復号化手段が復号化した識別情報が、前記識別記憶手段が記憶している識別情報となる場合に、前記要求情報を送信した端末が前記受信端末であると認証する認証手段と、
前記受信端末に送信する情報を暗号化する送信側暗号化手段と、
前記認証手段が前記受信端末を認証した場合に、前記送信側暗号化手段が暗号化した情報を送信する情報送信手段と、
を備え、
前記受信端末は、
予め設定された前記識別情報を暗号化する受信側暗号化手段と、
前記受信側暗号化手段が暗号化した識別情報を含む前記要求情報を送信する要求送信手段と、
前記情報送信手段から送信された前記暗号化された情報を受信する情報受信手段と、
前記情報受信手段が受信した前記暗号化された情報を復号化する受信側復号化手段と、
前記受信側復号化手段が復号化した情報を表示する情報表示手段と、
を備える  
ことを特徴とする。
【０００９】
また、本発明の第３の観点に係る情報通信方法は、
情報を送信可能な送信端末と、前記送信端末から送信された情報を受信可能な受信端末と、の間で情報を送受信する情報通信方法であって、
前記送信端末が、前記受信端末を識別するための識別情報を予め記憶する識別記憶ステップと、
前記送信端末が、前記受信端末から暗号化された識別情報を含む要求情報を受信する要求受信ステップと、
前記送信端末が、前記要求受信ステップで受信した前記要求情報に含まれる前記暗号化された識別情報を復号化する送信側復号化ステップと、
前記送信端末が、前記送信側復号化ステップで復号化した識別情報が、前記送信端末が記憶している識別情報となる場合に、前記要求情報を送信した端末が前記受信端末であると認証する認証ステップと、
前記送信端末が、前記受信端末に送信する情報を暗号化する送信側暗号化ステップと、
前記送信端末が、前記認証ステップで前記受信端末を認証した場合に、前記送信側暗号化ステップで暗号化した情報を送信する情報送信ステップと、
前記受信端末が、予め設定された前記識別情報を暗号化する受信側暗号化ステップと、
前記受信端末が、前記受信側暗号化ステップで暗号化した識別情報を含む前記要求情報を送信する要求送信ステップと、
前記受信端末が、前記情報送信ステップで送信された前記暗号化された情報を受信する情報受信ステップと、
前記受信端末が、前記情報受信ステップで受信した前記暗号化された情報を復号化する受信側復号化ステップと、
前記受信端末が、前記受信側復号化ステップで復号化した情報を表示する情報表示ステップと、
を備えることを特徴とする。
【発明の効果】
【００１０】
本発明によれば、情報を不正利用から保護することができる。
【図面の簡単な説明】
【００１１】
【図１】本発明の実施形態１に係る情報通信装置の一例を示す図である。
【図２】実施形態１に係る受信端末の機能構成例を示すブロック図である。
【図３】実施形態１に係る送信端末の機能構成例を示すブロック図である。
【図４】実施形態１に係るテレビ受像処理の一例を示すフローチャートである。
【図５】実施形態１に係るテレビ転送処理の一例を示すフローチャートである。
【図６】本発明の実施形態２に係る情報通信システムの一例を示す図である。
【図７】実施形態２に係る送信端末の機能構成例を示すブロック図である。
【図８】本発明の実施形態３に係る情報通信システムの一例を示す図である。
【図９】実施形態３に係る受信端末の機能構成例を示すブロック図である。
【図１０】実施形態３に係る送信端末の機能構成例を示すブロック図である。
【図１１】本発明の実施形態４に係る情報通信装置の一例を示す図である。
【発明を実施するための形態】
【００１２】
以下に、発明を実施するための形態について図面を参照して詳細に説明する。なお、図中同一または相当する部分には同じ符号を付す。
【００１３】
（実施形態１）
図１は、本発明の実施形態１に係る情報通信装置１００の一例を示す図である。
図１に示すように、実施形態１に係る情報通信装置１００は、第１端末（受信端末、クライアント）２００と、第２端末（送信端末、サーバ）３００とを備え、第１端末２００と第２端末３００との間で情報を送受信する。情報通信装置１００は、第１端末２００および第２端末３００の使用者に使用される。
【００１４】
第１端末２００は、使用者が携帯するスマートフォン（多機能携帯電話）で構成されている。第１端末２００は、最寄りの基地局４００、交換機５００を介して、公衆移動体通信網６００に接続されており、公衆移動体通信網６００を介して、相手の携帯電話と通話したり、インターネット７００から取得したコンテンツを表示したりする機能を備える。
また、第１端末２００は、無線ＬＡＮ（Local Area Network）のクライアント端末として第２端末３００や公衆無線ＬＡＮスポット８００と情報を送受信する機能を備える。すなわち、第１端末２００は、無線ＬＡＮを介して、第２端末３００やインターネット７００から取得したコンテンツを表示する機能を備えている。
【００１５】
図２は、実施形態１に係る第１端末２００の機能構成例を示すブロック図である。
図２に示すように、第１端末２００は、電源２０１と、入力部２０２と、表示部２０３と、マイクロフォン２０４と、出力端子２０５と、スピーカ２０６と、第１アンテナ２０７と、第２アンテナ２０８と、記憶部２０９と、制御部２１０とを備える。
【００１６】
電源２０１は、第１端末２００に電力を供給する。
入力部２０２は、使用者に押下されたキーに応じた情報を制御部２１０に入力する。
表示部２０３は、ユーザに入力されたパスコードや、第２端末２００から受信したテレビ番組の情報、インターネット７００から取得したその他のコンテンツが表示可能なディスプレイ装置で構成されており、制御部２１０から出力された情報を表示する。
【００１７】
マイクロフォン２０４は、使用者から発話された音声を制御部２１０の後述する音声制御部２１４に入力する。
出力端子２０５は、外付けのイヤフォン等が接続された場合に、音声制御部２１４から入力された音声を出力する。
スピーカ２０６は、出力端子２０５に外付けのイヤフォン等が接続されていない場合に、音声制御部２１４から入力された音声を出力する。
【００１８】
第１アンテナ２０７は、携帯電話の無線通信用のアンテナで構成され、図１に示す最寄りの基地局４００と情報を送受信する。
第２アンテナ２０８は、無線ＬＡＮ通信用のアンテナで構成され、図１に示す第２端末３００と情報を送受信する。
記憶部２０９は、ＲＡＭ（Random Access Memory）２０９ａと、ＲＯＭ（Read Only Memory）２０９ｂと、ＵＩＭ（User Identity Module）カード２０９ｃとを備え、第１端末２００の各種情報を記憶する。
【００１９】
ＲＡＭ２０９ａおよびＲＯＭ２０９ｂは、制御部２１０が第１端末２００の各機能を実行するための各種情報を記憶する。ＲＯＭ２０９ｂは、後述する第２無線制御部２１３のＭＡＣアドレス（Media Access Control address、端末識別情報）を記憶する。また、ＲＯＭ２０９ｂは、後述する第１暗号化部２１５ａおよび第１復号化部２１５ｄで用いる暗号化鍵（公開鍵暗号の公開鍵、public key）および復号化鍵（公開鍵暗号の秘密鍵、private key）を記憶する。また、ＲＯＭ２０９ｂは、テレビ番組を受像するためのテレビ受像アプリ（放送アプリ、テレビ受像プログラム）を記憶する。また、ＲＯＭ２０９ｂは、以前にテレビ受像アプリでテレビ番組を表示した場合に、表示履歴の情報である履歴情報を記憶する。
【００２０】
ＵＩＭカード２０９ｃは、第１端末２００の使用者を識別するＩＭＳＩ（International Mobile Subscriber Identity、国際移動体加入者識別番号、個人識別情報）を記憶する。
【００２１】
制御部２１０は、電源制御部２１１と、第１無線制御部２１２と、第２無線制御部２１３と、音声制御部２１４と、中央制御部２１５とを備え、記憶部２０９が記憶する情報を用いて、第１端末２００が備える機能を制御する。制御部２１０は、ＣＰＵ（Central Processing Unit）で構成されている。
電源制御部２１１は、電源２０１から第１端末２００に供給する電力を制御する。
【００２２】
第１無線制御部２１２は、第１アンテナ２０７を介して、図１に示す基地局４００との通信情報の送受信を制御する。第１無線制御部２１２は、基地局４００から受信した情報（通話の音声情報、図１に示すインターネット７００から取得した情報）を中央制御部２１５に出力すると共に、中央制御部２１５から入力された情報を基地局４００に出力（送信）する。
【００２３】
第２無線制御部２１３は、第２アンテナ２０８を介して、第２端末３００との通信情報の送受信を制御する。第２無線制御部２１３は、第２端末３００から受信した情報（暗号化されたテレビ番組の情報）を中央制御部２１５に出力すると共に、中央制御部２１５から入力された情報（テレビ番組の要求情報）を第２端末３００に出力（送信）する。
【００２４】
音声制御部２１４は、マイクロフォン２０４と出力端子２０５とスピーカ２０６とを介して、第１端末２００に入出力される音声を制御する。音声制御部２１４は、マイク２０４から入力された音声を中央制御部２１５に出力すると共に、中央制御部２１５から出力された音声を出力端子２０５およびスピーカ２０６に出力する。
【００２５】
中央制御部２１５は、通話制御部２１６と、通信制御部２１７と、テレビ受像部（コンテンツ利用部）２１８とを備える。
通話制御部２１６は、第１端末２００が携帯電話として機能する場合に、通話を制御する。通話制御部２１６は、第１無線制御部２１２から入力された相手側の音声を音声制御部２１４に出力すると共に、音声制御部２１４から入力された使用者側の音声を第１無線制御部２１２に出力する。
通信制御部２１７は、第１端末２００が携帯電話を用いた情報通信端末として機能する場合に、通信を制御する。通信制御部２１７は、第１無線制御部２１２から入力された相手側の情報を記憶部２０９に記憶して表示部２０３に表示等すると共に、入力部２０２から入力された使用者側の情報を第１無線制御部２１２に出力する。
【００２６】
テレビ受像部２１８は、第１端末２００がテレビ受像機（ＴＶ：television、テレビジョン）として機能する場合に、第２端末３００からテレビ放送の情報を受信して表示する（受像する）。テレビ受像部２１８は、第１暗号化部２１８ａと、要求送信部２１８ｂと、情報受信部２１８ｃと、第１復号化部２１８ｄと、情報表示部２１８ｅとを備え、使用者による入力でテレビ受像アプリが起動された場合に、テレビ放送の情報を受信して表示する。
【００２７】
第１暗号化部（受信側暗号化部）２１８ａは、テレビ受像アプリが起動された場合に第２端末３００に送信されるテレビ番組の要求情報に含まれる識別情報を暗号化する。第１暗号化部２１８ａは、ＲＯＭ２０９ｂに履歴情報が記憶されていない場合、即ち最初に第１端末２００を第２端末３００に認証させる場合に、使用者に入力された任意の文字列であるパスコード（パスワード、入力識別情報）と、ＲＯＭ２０９ｂに記憶されたＭＡＣアドレスと、ＵＩＭカード２０９ｃに記憶されたＩＭＳＩとを含む識別情報をＲＯＭ２０９ｂに記憶された暗号化鍵で暗号化する。また、第１暗号化部２１８ａは、ＲＯＭ２０９ｂに履歴情報が記憶されている場合、即ち２回目以降に第１端末２００を第２端末３００に認証させる場合、パスコードを省略して、ＭＡＣアドレスとＩＭＳＩとを含む識別情報を暗号化する。
【００２８】
要求送信部２１８ｂは、テレビ受像アプリが起動された場合に、第１暗号化部２１８ａが暗号化した識別情報を含むテレビ番組の要求情報を第２端末３００に送信する。要求送信部２１８ｂは、要求情報を第２無線制御部２１３に出力することにより、要求情報を第２端末３００に送信する。また、要求送信部２１８ｂは、テレビ受像アプリが終了された場合に、テレビ番組の要求終了情報を第２端末３００に送信する。
情報受信部２１８ｃは、第２端末３００から送信された情報を受信する。情報受信部２１８ｃは、第２端末３００で暗号化されたテレビ番組の情報を受信する。
【００２９】
第１復号化部２１８ｄは、情報受信部２１８ｃが受信した情報（暗号化されたテレビ番組の情報）をＲＯＭ２０９ｂに記憶された復号化鍵で復号化する。
情報表示部２１８ｅは、第１復号化部２１８ｄが復号化したテレビ番組の情報を表示する。情報表示部２１８ｅは、テレビ番組の動画を表示部２０３に表示したり、テレビ番組の音声を音声制御部２１４を介して出力端子２０５およびスピーカ２０６に出力したりする。なお、情報表示部２１８ｅがテレビ番組の情報を表示した場合、履歴情報がＲＯＭ２０９ｂに記憶される。
【００３０】
図１に示すように、第２端末３００は、使用者が携帯する地上デジタルテレビ放送の受信機（デジタルテレビチューナー）で構成され、放送局９００からのテレビ番組の情報（放送波）を受信する。また、第２端末３００は、無線ＬＡＮのサーバ端末（アクセスポイント）として第１端末２００と情報を送受信する。
【００３１】
図３は、実施形態１に係る第２端末３００の機能構成例を示すブロック図である。
図３に示すように、第２端末３００は、電源３０１と、入力部３０２と、表示部３０３と、第１アンテナ３０４と、第２アンテナ３０５と、記憶部３０６と、制御部３０７とを備える。第２端末３００の電源３０１、入力部３０２は、図２に示す第１端末２００の電源２０１、入力部２０２と同様の機能を有する。
【００３２】
表示部３０３は、ユーザに入力されたパスコードが表示可能なディスプレイ装置で構成されている。
第１アンテナ３０４は、テレビの地上波放送受信用のアンテナで構成され、図１に示す放送局９００からのテレビ番組の情報を受信する。
第２アンテナ３０５は、無線ＬＡＮ通信用のアンテナで構成され、第１端末２００と情報を送受信する。
記憶部（識別記憶部）３０６は、ＲＡＭ３０６ａと、ＲＯＭ３０６ｂとを備え、第２端末３００の各種情報を記憶する。
【００３３】
ＲＡＭ３０６ａおよびＲＯＭ３０６ｂは、制御部３０７が第２端末３００の各機能を実行するための各種情報を記憶する。ＲＯＭ３０６ｂは、最初のテレビ番組の要求前に使用者に入力されたパスコードを予め記憶する。また、ＲＯＭ３０６ｂは、後述する第２復号化部３１２ｂおよび第２暗号化部３１２ｅで用いる復号化鍵（公開鍵暗号の秘密鍵）および暗号化鍵（公開鍵暗号の公開鍵）を記憶する。また、ＲＯＭ３０６ｂは、後述する認証部３１２ｃが第１端末２００をパスコードで認証した後に、第２復号化部３１２ｂが復号化したＭＡＣアドレスおよびＩＭＳＩを記憶する。
【００３４】
制御部３０７は、電源制御部３０８と、第１無線制御部３０９と、第２無線制御部３１０と、中央制御部３１１とを備え、記憶部３０６が記憶する情報を用いて、第１端末３００が備える機能を制御する。第２端末３００の電源制御部３０８は、第１端末２００の電源制御部２１１と同様の機能を有する。
【００３５】
第１無線制御部３０９は、第１アンテナ３０４を介して、放送局９００からのテレビ番組の情報の受信を制御する。第１無線制御部３０９は、放送局９００から受信したテレビ番組の情報を中央制御部３１１に出力する。
【００３６】
第２無線制御部３１０は、第２アンテナ３０５を介して、第１端末２００との通信情報の送受信を制御する。第２無線制御部３１０は、第１端末２００から受信した情報（テレビ番組の要求情報）を中央制御部３１１に出力すると共に、中央制御部２１５から入力された情報（暗号化されたテレビ番組の情報）を第１端末２００に出力（送信）する。
【００３７】
中央制御部３１１は、テレビ転送部（コンテンツ送信部）３１２を備える。
テレビ転送部３１２は、放送局９００から受信したテレビ番組の情報を第１端末２００に送信する（転送する）。テレビ転送部３１２は、要求受信部３１２ａと、第２復号化部３１２ｂと、認証部３１２ｃと、識別更新部３１２ｄと、第２暗号化部３１２ｅと、情報送信部３１２ｆとを備える。
【００３８】
要求受信部３１２ａは、第１端末２００から暗号化された識別情報を含むテレビ番組の要求情報を受信する。また、要求受信部３１２ａは、第１端末２００がテレビ受信アプリを終了した場合に、要求終了情報を受信する。
第２復号化部（送信側復号化部）３１２ｂは、要求受信部３１２ａが受信した要求情報に含まれる暗号化された識別情報をＲＯＭ３０６ｂに記憶された復号化鍵で復号化する。
【００３９】
認証部３１２ｃは、第２復号化部３１２ｂが復号化した識別情報と、ＲＯＭ３０６ｂに記憶された識別情報とが一致した場合に、テレビ番組の要求情報を送信した端末が第１端末２００であると認証する。認証部３１２ｃは、最初のテレビ番組の要求時に、復号化された識別情報（復号化されたパスコード、ＭＡＣアドレス、ＩＭＳＩ）のパスコードが、ＲＯＭ３０６ｂに記憶されたパスコードと一致した場合に、第１端末２００を認証する。また、認証部３１２ｃは、第１端末２００をパスコードで認証した後のテレビ番組の要求時に、復号化された識別情報（復号化されたＭＡＣアドレス、ＩＭＳＩ）のＩＭＳＩが、ＲＯＭ３０６ｂに記憶されたＩＭＳＩと一致した場合に、第１端末２００を認証する。
【００４０】
識別更新部３１２ｄは、認証部３１２ｃが第１端末２００をＩＭＳＩで認証し、且つ、復号化されたＭＡＣアドレスと、ＲＯＭ３０６ｂに記憶されたＭＡＣアドレスとが不一致である場合に、使用者が端末を変更（機種変更）したと判別してＲＯＭ３０６ｂに復号化されたＭＡＣアドレスを記憶し、次回認証時からは新たに記憶しているＭＡＣアドレスを使用することでＭＡＣアドレスを更新する。
【００４１】
第２暗号化部（送信側暗号化部）３１２ｅは、第１端末２００に送信するテレビ番組の情報（第１無線制御部３０９から出力されたテレビ番組の情報）をＲＯＭ３０６ｂに記憶された暗号化鍵で暗号化する。
情報送信部３１２ｆは、認証部３１２ｃが第１端末２００を認証した場合に、第２暗号化部３１２ｅが暗号化したテレビ番組の情報を第１端末２００に送信（転送）する。また、情報送信部３１２ｆは、要求受信部３１２ａが要求終了情報を受信した場合に、暗号化されたテレビ番組の情報の送信を停止する。
【００４２】
図４は、実施形態１に係るテレビ受像処理の一例を示すフローチャートである。
図４のテレビ受像処理は、第１端末２００の電源２０１が投入されることにより開始する。テレビ受像部２１８は、使用者からテレビ受像アプリを起動させる入力があるまでステップＳ２０１を繰り返す（ステップＳ２０１；ＮＯ）。
【００４３】
テレビ受像アプリを起動する入力があり（ステップＳ２０１；ＹＥＳ）、且つ、履歴情報がない場合（ステップ２０２；ＮＯ）、第１暗号化部２１８ａは、使用者からのパスコードの入力がされるまでステップＳ２０３を繰り返す（ステップＳ２０３；ＮＯ）。パスコードの入力があった場合（ステップＳ２０３；ＹＥＳ）、第１暗号化部２１８ａは、パスコードとＭＡＣアドレスとＩＭＳＩとを含む識別情報を暗号化する（ステップＳ２０４）。
【００４４】
また、テレビ受像アプリを起動させる入力があり（ステップＳ２０１；ＹＥＳ）、且つ、ＲＯＭ２０９ｂに履歴情報が記憶されている場合（ステップＳ２０２；ＹＥＳ）、第１暗号化部２１８ａは、ＭＡＣアドレスとＩＭＳＩとを含む識別情報を暗号化する（ステップＳ２０５）。
識別情報が暗号化されると、要求送信部２１８ｂは、暗号化された識別情報を含む要求情報を第２端末３００に送信する（ステップＳ２０６）。
【００４５】
また、情報受信部２１８ｃは、第２端末３００から送信された情報（暗号化されたテレビ番組の情報）を受信するまでステップＳ２０７を繰り返す（ステップＳ２０７；ＮＯ）。
情報受信部２１８ｃが暗号化されたテレビ番組の情報を受信した場合した場合（ステップＳ２０７；ＹＥＳ）、暗号化されたテレビ番組の情報を復号化する（ステップＳ２０８）。テレビ番組の情報が復号化されると、情報表示部２１８ｅは、復号化されたテレビ番組の情報を表示部２０３に表示する（ステップＳ２０９）。
【００４６】
テレビ番組の情報が表示されると、テレビ受像部２１８は、テレビ受像アプリを終了させる使用者からの入力がされるまでステップＳ２０７に戻す（ステップＳ２１０；ＮＯ）。
また、テレビ受像アプリを終了させる入力がされた場合（ステップＳ２１０；ＹＥＳ）、要求送信部２１８ｂは、テレビ番組の要求終了情報を第２端末３００に送信し（ステップＳ２１１）、テレビ受像部２１８は、テレビ受像処理を終了する。
【００４７】
図５は、実施形態１に係るテレビ転送処理の一例を示すフローチャートである。
図５のテレビ転送処理は、第２端末３００の電源３０１が投入されることにより開始する。要求受信部３１２ａは、第１端末２００から要求情報を受信するまでステップＳ３０１を繰り返す（ステップＳ３０１；ＮＯ）。
【００４８】
要求受信部３１２ａが要求情報を受信した場合（ステップＳ３０１；ＹＥＳ）、第２復号化部３１２ｂは、要求情報に含まれる暗号化された識別情報を復号化する（ステップＳ３０２）。復号化された識別情報にパスコードが含まれ（ステップＳ３０３；ＹＥＳ）、且つ、復号化されたパスコードと、ＲＯＭ３０６ｂに予め記憶されたパスコードとが一致しない場合、認証部３１２ｃは、第１端末２００を認証せずにステップＳ３０１に戻す（ステップＳ３０４；ＮＯ）。復号化されたパスコードと記憶されたパスコードとが一致する場合、認証部３１２ｃは、第１端末２００を認証し（ステップＳ３０４；ＹＥＳ）、ＲＯＭ３０６ｂは、復号化されたＭＡＣアドレスとＩＭＳＩとを記憶する（ステップＳ３０５）。
【００４９】
また、復号化された識別情報にパスコードが含まれず（ステップＳ３０３；ＮＯ）、且つ、復号化されたＩＭＳＩと、ＲＯＭ３０６ｂに記憶されたＩＭＳＩとが一致しない場合、認証部３１２ｃは、第１端末２００を認証せずにステップＳ３０１に戻す（ステップＳ３０６；ＮＯ）。復号化されたＩＭＳＩと記憶されたＩＭＳＩとが一致する場合、認証部３１２ｃは、第１端末２００を認証し（ステップＳ３０６；ＹＥＳ）、復号化されたＭＡＣアドレスと記憶されたＭＡＣアドレスとが一致しない場合（ステップＳ３０７；ＮＯ）、識別更新部３１２ｄは、ＲＯＭ３０６ｂに記憶されたＭＡＣアドレスを復号化されたＭＡＣアドレスに更新する（ステップ３０８）。なお、復号化されたＭＡＣアドレスと記憶されたＭＡＣアドレスとが一致した場合、識別更新部３１２ｄは、ＲＯＭ３０６ｂに記憶されたＭＡＣアドレスを更新しない（ステップＳ３０７；ＹＥＳ）。
【００５０】
また、第１端末２００を認証すると、第２暗号化部３１２ｅは、第１端末２００に送信するテレビ番組の情報（第１無線制御部３０９から出力されたテレビ番組の情報）を暗号化する（ステップＳ３０９）。テレビ番組の情報が暗号化されると、情報送信部３１２ｆは、暗号化されたテレビ番組の情報を第１端末２００に送信する（ステップＳ３１０）。
また、要求受信部３１２ａは、第１端末２００から要求終了情報を受信するまでステップＳ３０９に戻り（ステップＳ３１１；ＮＯ）、要求終了情報を受信した場合（ステップＳ３１１；ＹＥＳ）、テレビ転送部３１２は、テレビ転送処理を終了する。
【００５１】
以上説明したように、実施形態１の情報通信装置１００によれば、第２端末３００は、第１端末２００に暗号化されたテレビ番組の情報を送信し、復号化鍵を有する第１端末２００のみが暗号化されたテレビ番組の情報を復号化して表示することが可能であるため、第三者の不正取得・不正利用からテレビ番組の情報を保護することができる。また、第２端末３００は、認証した第１端末２００に暗号化されたテレビ番組の情報を送信し、認証していない端末からの要求にはテレビ番組の情報を送信しないため、第三者の不正取得・不正利用からテレビ番組の情報をより安全に保護することができる。
【００５２】
また、実施形態１の情報通信装置１００によれば、第２端末３００から送信される無線ＬＡＮ上のテレビ番組の情報だけでなく、第１端末２００から送信される無線ＬＡＮ上の識別情報が暗号化されている。この結果、実施形態１の情報通信装置１００は、識別情報を盗用する第三者のなりすましを防止することができ、第三者の不正取得・不正利用からテレビ番組の情報をより安全に保護することができる。
【００５３】
また、実施形態１の情報通信装置１００によれば、初回認証時に、第１端末２００で使用者に入力されたパスコード、すなわち、第２端末３００のＲＯＭ３０６ｂに予め記憶されたパスコードと同じパスコードで認証することができる。この結果、実施形態１の情報通信装置１００は、パスコードを知らない第三者のなりすましを防止することができ、第三者の不正取得・不正利用からテレビ番組の情報をより安全に保護することができる。
【００５４】
また、実施形態１の情報通信装置１００によれば、初回認証後に、ＲＯＭ３０６ｂにパスコードと共に送信されたＭＡＣアドレスおよびＩＭＳＩを記憶し、２回目以降の認証時にはＩＭＳＩで認証することができる。この結果、実施形態１の情報通信装置１００は、２回目以降の認証時に使用者からのパスコードの入力待ち受け処理を省略でき、認証のための使用者への負担を低減できる。
【００５５】
さらに、実施形態１の情報通信装置１００によれば、２回目以降の認証時に、ＭＡＣアドレスが一致しない場合でも、ＩＭＳＩが一致すれば第１端末２００を認証してＭＡＣアドレスを更新することができる。この結果、実施形態１の情報通信装置１００は、端末交換時（第１端末２００の破損による交換時や追加購入時等）に異なるＭＡＣアドレスを含む識別情報が送信されても、使用者固有のＩＭＳＩに基づいて認証失敗せずに識別情報を容易に更新することができる。
【００５６】
（実施形態２）
図６は、本発明の実施形態２に係る情報通信システム１００′の一例を示す図である。
図６に示すように、実施形態２に係る情報通信システム１００′は、実施形態１の第２端末３００に替えて、第２端末（送信端末、サーバ）３００′を備える。
【００５７】
第２端末３００′は、使用者が所有する地上デジタルテレビ放送のテレビ受像器で構成されている。第２端末３００′は、無線ＬＡＮのクライアント端末として使用者が所有する無線ＬＡＮルータ（アクセスポイント、サーバ）８００′と情報を送受信する機能を備え、無線ＬＡＮルータ８００′を介して、インターネット７００に接続されている。すなわち、第２端末３００′は、無線ＬＡＮルータ８００′、インターネット７００を介して、第１端末２００と情報を送受信することが可能となっている。
【００５８】
図７は、実施形態２に係る第２端末３００′の機能構成例を示すブロック図である。
図７に示すように、第２端末３００′は、実施形態１の第２端末３００と同様に、電源３０１と、入力部３０２と、表示部３０３と、第１アンテナ３０４と、第２アンテナ３０５と、記憶部３０６と、制御部３０７とを備える。また、第２端末３００′には、第１端末２００のスピーカ２０６および出力端子２０５と同様の機能を有するスピーカ３２１および出力端子３２２を備える。
【００５９】
なお、実施形態２の表示部３０３は、ユーザに入力されたパスコードや、放送局９００から受信したテレビ番組の情報、インターネット７００から取得したその他のコンテンツが表示可能なディスプレイ装置で構成されている。また、実施形態２の制御部３０７は、第１端末２００の音声制御部２１４と同様の機能を有する音声制御部３２３を備える。また、実施形態２の中央制御部３１１は、テレビ受像部３２４を備える。
【００６０】
テレビ受像部３２４は、第２無線制御部３１０が受信したテレビ番組の情報を表示する。テレビ受像部３２４は、テレビ番組の動画を表示部３０３に表示したり、テレビ番組の音声を音声制御部３２３を介してスピーカ３２１および出力端子３２２に出力したりする。
【００６１】
以上説明したように、実施形態２の情報通信システム１００′によれば、第２端末３００′は、インターネット７００を介して、認証した第１端末２００にのみテレビ番組の情報を返信できる。この結果、実施形態２の情報通信システム１００′は、使用者がテレビ番組の情報を受信する第２端末３００′を携帯しなくても、使用者が携帯する第１端末２００でテレビ番組の情報を第２端末３００′から受信して表示できる。
その他、実施形態２の情報通信システム１００′は、実施形態１の情報通信装置１００と同様の作用効果を奏する。
【００６２】
（実施形態３）
図８は、本発明の実施形態３に係る情報通信システム１００″の一例を示す図である。
図８に示すように、実施形態３に係る情報通信システム１００″は、実施形態２の第２端末３００′に替えて、第２端末（送信端末、サーバ）３００″を備える。
第２端末３００″は、使用者が所有するＰＣ（Personal Computer、パーソナルコンピュータ）で構成されている。
【００６３】
図９は、実施形態３に係る第１端末２００″の機能構成例を示すブロック図である。
実施形態３では、第１端末２００″のＲＯＭ２０９ｂは、音楽を再生するための音楽再生アプリ（音楽再生プログラム）を記憶する。また、ＲＯＭ２０９ｂは、以前に音楽再生アプリで音楽を再生した場合に、再生履歴の情報である履歴情報を記憶する。
また、図９に示すように、第１端末２００″の中央制御部２１５は、音楽再生部（コンテンツ利用部）２１９を備える。
【００６４】
音楽再生部２１９は、第１端末２００″が音楽再生装置（オーディオプレイヤー）として機能する場合に、第２端末３００″から音楽の情報（楽曲の音声）を受信して再生する。
音楽再生部２１９は、テレビ受像部２１８と同様に、第１暗号化部２１９ａと、要求送信部２１９ｂと、情報受信部２１９ｃと、第１復号化部２１９ｄと、情報表示部２１９ｅとを備え、音楽再生アプリが起動された場合に、音楽の情報を受信して再生する。
なお、音楽再生部２１９の各部２１９ａ〜２１９ｅは、テレビ番組の情報を音楽の情報に置き換えただけであり、テレビ受像部２１８の各部２１８ａ〜２１８ｅと同様の説明となる。
【００６５】
図１０は、実施形態３に係る第２端末３００″の機能構成例を示すブロック図である。
実施形態３では、第２端末３００″のＲＯＭ３０６ｂは、第１端末２００″に送信する音楽の情報を予め記憶する。
図１０に示すように、第２端末３００″は、実施形態２の第２端末３００′と同様に、電源３０１と、入力部３０２と、表示部３０３と、第１アンテナ３０４と、第２アンテナ３０５と、記憶部３０６と、制御部３０７と、スピーカ３２１と、出力端子３２２とを備える。また、実施形態３の中央制御部３１１は、音楽転送部（コンテンツ送信部）３３１を備える。
【００６６】
音楽送信部３３１は、ＲＯＭ３０６ｂに記憶された音楽の情報を第１端末２００″に送信する。音楽送信部３３１は、テレビ転送部３１２と同様に、要求受信部３３１ａと、第２復号化部３３１ｂと、認証部３３１ｃと、識別更新部３３１ｄと、第２暗号化部３３１ｅと、情報送信部３３１ｆとを備える。
なお、音楽送信部３３１の各部３３１ａ〜３３１ｆは、テレビ番組の情報を音楽の情報に置き換えただけであり、テレビ転送部２１８の各部３１２ａ〜３１２ｆと同様の説明となる。
【００６７】
以上説明したように、実施形態３の情報通信システム１００″によれば、第２端末３００″は、認証した第１端末２００″にのみ音楽の情報を返信できる。この結果、実施形態３の情報通信システム１００″は、放送局９００から受信したテレビ番組の情報だけでなく、使用者が第２端末３００″に保有する音楽の情報も、第三者による不正利用を防止しつつ第１端末２００″に送信できる。
その他、実施形態３の情報通信システム１００″は、実施形態１、２の情報通信装置１００，１００′と同様の作用効果を奏する。
【００６８】
以上、実施形態１〜３を説明したが、これらの実施の形態はそれぞれ組み合わせてもよい。
【００６９】
（実施形態４）
図１１は、本発明の実施形態４に係る情報通信装置１０の一例を示す図である。
図１１に示すように、実施形態４に係る情報通信装置（情報通信システム）１０は、第１端末（受信端末、クライアント）２０と、第２端末（送信端末、サーバ）３０とを備え、第１端末２０と第２端末３０との間で情報を送受信する。情報通信装置１０は、第１端末２０および第２端末３０の使用者に使用される。
【００７０】
第２端末３０は、識別記憶部３１と、要求受信部３２と、第２復号化部３３と、認証部３４と、第２暗号化部３５と、情報送信部３６とを備える。
識別記憶部３１は、第１端末２０を識別する識別情報を記憶する。
要求受信部３２は、第１端末２０から暗号化された識別情報を含む要求情報を受信する。
【００７１】
第２復号化部（送信側復号化部）３３は、前記暗号化された識別情報を復号化する。
認証部３４は、第２復号化部３３が復号化した識別情報と、識別記憶部３１が記憶する識別情報とが一致した場合に、要求情報を送信した端末が受信端末２０であると認証する。
【００７２】
第２暗号化部（送信側暗号化部）３５は、第１端末２０に送信する情報を暗号化する。
情報送信部３６は、認証部３４が受信端末２０を認証した場合に、第２暗号化部３５が暗号化した情報を送信する。
【００７３】
また、第１端末２０は、第１暗号化部２１と、要求送信部２２と、情報受信部２３と、第１復号化部２４と、情報表示部２５とを備える。
第１暗号化部（受信側暗号化部）２１は、識別情報を暗号化する。
要求送信部２２は、第１暗号化部２１が暗号化した識別情報を含む要求情報を送信する。
【００７４】
情報受信部２３は、第２端末３０の情報送信部３６から送信された情報（暗号化された情報）を受信する。
第１復号化部（受信側復号化部）２４は、前記暗号化された情報を復号化する。
情報表示部２５は、前記復号化部が復号化した情報を表示する。
【００７５】
以上説明したように、実施形態４の情報通信装置１０によれば、第２端末３０は、識別情報で認証した第１端末２０にのみ情報を送信し、第１端末２０のみが暗号化された情報を復号化して表示することが可能であるため、第三者の不正取得・不正利用から情報を保護することができる。また、第２端末３０は、認証した第１端末２０に暗号化された情報を送信し、認証していない端末からの要求には情報を送信しないため、第三者の不正取得・不正利用から情報をより安全に保護することができる。
【００７６】
また、実施形態４の情報通信装置１０によれば、第２端末３０から送信される情報だけでなく、第１端末２０から送信される識別情報が暗号化されている。この結果、実施形態４の情報通信装置１０は、識別情報を盗用する第三者のなりすましを防止することができ、第三者の不正取得・不正利用から情報をより安全に保護することができる。
【００７７】
なお、上記実施形態１〜３では、第１端末２００，２００″と第２端末３００〜３００″との間で、テレビ番組の情報として、放送局９００から受信した地上波放送のテレビ番組の情報を送受信したが、例えば、ＢＳ：Broadcasting SatelliteやＣＳ：Communications Satelliteから受信した衛星放送やケーブルテレビ局から受信した有線テレビジョン放送のテレビ番組の情報を送受信してもよい。また、テレビ番組の情報に限定されず、ラジオの放送局から受信した有線・無線のラジオ番組の情報を送受信してもよい。
【００７８】
なお、上記実施形態１〜３では、第１端末２００，２００″と第２端末３００〜３００″との間で、著作権によって利用制限があるテレビ番組や音楽の情報を送受信したが、例えば、著作権によって利用制限があるその他の情報（小説、映画、地図、写真、プログラム、データベース等のデジタル化された著作物の情報）を送受信してもよい。また、例えば、第三者に知られたくない個人に関する情報（所謂個人情報、その他の日記や電子メール等の私的な情報）を送受信してもよい。これらの場合も、送受信する情報を第三者の不正利用から保護することが可能である。
【００７９】
なお、上記実施形態１〜３では、第１端末２００，２００″は、識別情報（パスコード、ＩＭＳＩ、ＭＡＣアドレス）、テレビ番組の情報、音楽の情報を公開鍵暗号（ＲＳＡ、楕円曲線暗号等）で暗号化しているが、例えば、共通鍵暗号（ＤＥＳ：Data Encryption Standard、ＡＥＳ：Advanced Encryption Standard等）やハイブリッド暗号（ＳＳＬ：Secure Socket Layer等）で暗号化してもよい。
なお、上記実施形態では、認証部３４，３１２ｃ，３３１ｃが復号化された識別情報と記憶された識別情報とが一致した場合に、第１端末２０，２００，２００″を認証したが、例えば、受信した要求情報に含まれる暗号化された識別情報が、記憶した識別情報を暗号化した識別情報と一致した場合に、第１端末２０，２００，２００″を認証してもよい。また、例えば、第２端末３０，３００〜３００″に識別情報のハッシュ値を予め記憶しておき、復号化された識別情報のハッシュ値と、記憶しているハッシュ値とが一致した場合に、第１端末２０，２００，２００″を認証してもよい。
【００８０】
なお、上記実施形態１〜４では、第１端末２０，２００，２００″は、識別情報のみを暗号化して要求情報を送信したが、例えば、識別情報を含む要求情報全体を暗号化して送信してもよい。この場合、第１端末２０，２００，２００″と第２端末３０，３００，３００′，３００″との間で送受信される全ての情報を暗号化して送受信することが可能となり、例えば、無線ＬＡＮの暗号化規格（ＷＥＰ：Wired Equivalent Privacy、ＷＰＡ：Wi-Fi Protected Access、ＷＰＡ２等）を適用して送受信される全ての情報を暗号化してもよい。
【００８１】
なお、上記実施形態１〜３では、２回目以降の認証時には第１端末２００，２００″におけるパスコードの入力を省略したが、安全性の確保のため、パスコードの入力を毎回行ってもよい。この場合、２回目以降の認証時にはパスコードとＩＭＳＩとの両方が一致した場合に、第１端末２００，２００″を認証してもよい。
【００８２】
なお、上記実施形態１〜３では、使用者が入力する入力識別情報として、パスコードを使用したが、例えば、使用者に入力されたデジタルの生体情報（指紋、掌形、掌の静脈、声紋、顔、網膜、虹彩、筆跡等）を使用してもよい。
また、上記実施形態１〜３では、使用者を識別する個人識別情報として、ＩＭＳＩを使用したが、例えば、使用者の個人情報（住所、氏名、電話番号等）やＩＭＥＩ（International Mobile Equipment Identity、国際移動体装置識別番号、端末識別番号）を使用してもよい。
さらに、上記実施形態１〜３では、第１端末２００，２００″自体を識別する端末識別情報としてＭＡＣアドレスを使用したが、例えば、第１端末２００，２００″の各部の製造番号（シリアル番号）を使用してもよい。
【００８３】
なお、上記実施形態１〜３では、第２端末３００〜３００″は、第１端末２００，２００″の認証後にテレビ番組の情報を暗号化しながら送信したが、例えば、放送局９００から受信したテレビ番組の情報を予め暗号化してからＲＡＭ３０６ａに一時記憶して認証後に送信してもよい。また、音楽の情報についても同様に、音楽の情報を予め暗号化してからＲＯＭ３０６ｂに記憶して認証後に送信してもよい。
【００８４】
なお、上記実施形態１では、第１端末２００と第２端末３００とが無線ＬＡＮを介して情報を送受信しているが、例えば、Ｂｌｕｅｔｏｏｔｈ（登録商標）、ＺｉｇＢｅｅ（登録商標）、アドホックネットワーク等のその他の近距離無線通信規格を用いて情報を送受信してもよい。
また、上記実施形態２、３では、第２端末３００′，３００″を無線ＬＡＮルータ８００′を介してインターネット７００に接続したが、例えば、第２端末３００′，３００″と有線ＬＡＮルータとをＬＡＮケーブルで接続して、有線ＬＡＮルータを介してインターネット７００に接続してもよい。
【００８５】
なお、上記実施形態１では、第１端末２００は、スマートフォンで構成したが、例えば、携帯電話、ノートＰＣ、ＰＤＡ（Personal Digital Assistant）等の使用者が携帯可能な端末で構成してもよい。また、上記実施形態１〜４の第１端末２０，２００，２００″は、使用者が携帯可能な端末で構成することが好ましいが、例えば、第２端末３０，３００〜３００″とは離れた場所に設置されたＰＣ等の使用者が携帯不能な端末で構成してもよい。
【００８６】
なお、上記実施形態１〜３では、各端末２００，２００″，３００〜３００″の記憶部２０９，３０６は、ＲＡＭ２０９ａ，３０６ａ、ＲＯＭ２０９ｂ，３０６ｂ、ＵＩＭカード２０９ｃで構成されているが、例えば、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成してもよい。
その他、前記のハードウェア構成やフローチャートは一例であり、任意に変更および修正が可能である。
【００８７】
なお、情報通信装置１００の第１端末２００や第２端末３００の各機能を、ＯＳ（Operating System）とアプリケーションプログラムの分担、またはＯＳとアプリケーションプログラムとの協働により実現する場合などには、アプリケーションプログラム部分のみを記録媒体や記憶装置に格納してもよい。
また、搬送波にコンピュータプログラムを重畳し、通信ネットワークを介して配信してもよい。たとえば、通信ネットワーク上の掲示板（ＢＢＳ：Bulletin Board System）にコンピュータプログラムを掲示し、ネットワークを介してコンピュータプログラムを配信してもよい。そして、このコンピュータプログラムを起動し、ＯＳの制御下で、他のアプリケーションプログラムと同様に実行することにより、前記の処理を実行できるように構成してもよい。
【００８８】
上記の実施形態の一部または全部は、以下の請求項のようにも記載されうるが、以下には限られない。
【００８９】
（付記１）
情報を送信する送信端末と、前記送信端末から送信された情報を受信する受信端末と、の間で情報を送受信する情報通信装置であって、
前記送信端末は、
前記受信端末を識別するための識別情報を予め記憶する識別記憶手段と、
前記受信端末から暗号化された識別情報を含む要求情報を受信する要求受信手段と、
前記要求受信手段が受信した前記要求情報に含まれる前記暗号化された識別情報を復号化する送信側復号化手段と、
前記送信側復号化手段が復号化した識別情報が、前記識別記憶手段が記憶している識別情報となる場合に、前記要求情報を送信した端末が前記受信端末であると認証する認証手段と、
前記受信端末に送信する情報を暗号化する送信側暗号化手段と、
前記認証手段が前記受信端末を認証した場合に、前記送信側暗号化手段が暗号化した情報を送信する情報送信手段と、
を備え、
前記受信端末は、
予め設定された前記識別情報を暗号化する受信側暗号化手段と、
前記受信側暗号化手段が暗号化した識別情報を含む前記要求情報を送信する要求送信手段と、
前記情報送信手段から送信された前記暗号化された情報を受信する情報受信手段と、
前記情報受信手段が受信した前記暗号化された情報を復号化する受信側復号化手段と、
前記受信側復号化手段が復号化した情報を表示する情報表示手段と、
を備える
ことを特徴とする情報通信装置。
【００９０】
（付記２）
前記送信端末の前記識別記憶手段は、予め設定された前記受信端末の使用者に入力される情報である入力識別情報を含む前記識別情報を記憶し、
前記受信端末の前記要求情報に含まれる識別情報は、前記入力識別情報と、前記受信端末の使用者を識別する情報である個人識別情報と、前記受信端末自体を識別する情報である端末識別情報とを含み、
前記送信端末の前記認証手段は、復号化された前記入力識別情報が前記識別記憶手段が記憶している入力識別情報となる場合に、前記受信端末を認証する、
ことを特徴とする付記１に記載の情報通信装置。
【００９１】
（付記３）
前記送信端末の前記識別記憶手段は、前記認証手段が前記受信端末を前記入力識別情報に基づいて認証した場合に、復号化された前記識別情報に含まれる前記個人識別情報と前記端末識別情報とを記憶し、
前記受信端末の前記要求送信手段は、前記入力識別情報に基づく認証が成立してから前記要求情報を再度送信する場合に、前記個人識別情報と前記端末識別情報とが暗号化された前記識別情報を含む前記要求情報を送信し、
前記送信端末の前記認証手段は、復号化された前記識別情報に前記入力識別情報が含まれず、且つ、復号化された個人識別情報が前記識別記憶手段が記憶している個人識別情報となる場合に、前記受信端末を認証する、
ことを特徴とする付記２に記載の情報通信装置。
【００９２】
（付記４）
前記送信端末に設けられ、前記認証手段が前記受信端末を前記個人識別情報に基づいて認証し、且つ、復号化された端末識別情報が前記識別記憶手段が記憶している端末識別情報とならない場合に、前記識別記憶手段が記憶している端末識別情報を、復号化された端末識別情報に更新する識別更新手段、
をさらに備えることを特徴とする付記３に記載の情報通信装置。
【００９３】
（付記５）
前記情報表示手段は、前記送信端末および前記受信端末の使用者の私的使用目的の情報を表示する、
ことを特徴とする付記１ないし４のいずれかに記載の情報通信装置。
【００９４】
（付記６）
前記送信端末および前記受信端末は、前記使用者が携帯可能である、
ことを特徴とする付記５に記載の情報通信装置。
【００９５】
（付記７）
情報を送信する送信端末と、前記送信端末から送信された情報を受信する受信端末と、を備える情報通信システムであって、
前記送信端末は、
前記受信端末を識別するための識別情報を予め記憶する識別記憶手段と、
前記受信端末から暗号化された識別情報を含む要求情報を受信する要求受信手段と、
前記要求受信手段が受信した前記要求情報に含まれる前記暗号化された識別情報を復号化する送信側復号化手段と、
前記送信側復号化手段が復号化した識別情報が、前記識別記憶手段が記憶している識別情報となる場合に、前記要求情報を送信した端末が前記受信端末であると認証する認証手段と、
前記受信端末に送信する情報を暗号化する送信側暗号化手段と、
前記認証手段が前記受信端末を認証した場合に、前記送信側暗号化手段が暗号化した情報を送信する情報送信手段と、
を備え、
前記受信端末は、
予め設定された前記識別情報を暗号化する受信側暗号化手段と、
前記受信側暗号化手段が暗号化した識別情報を含む前記要求情報を送信する要求送信手段と、
前記情報送信手段から送信された前記暗号化された情報を受信する情報受信手段と、
前記情報受信手段が受信した前記暗号化された情報を復号化する受信側復号化手段と、
前記受信側復号化手段が復号化した情報を表示する情報表示手段と、
を備える
ことを特徴とする情報通信システム。
【００９６】
（付記８）
情報を送信可能な送信端末と、前記送信端末から送信された情報を受信可能な受信端末と、の間で情報を送受信する情報通信方法であって、
前記送信端末が、前記受信端末を識別するための識別情報を予め記憶する識別記憶ステップと、
前記送信端末が、前記受信端末から暗号化された識別情報を含む要求情報を受信する要求受信ステップと、
前記送信端末が、前記要求受信ステップで受信した前記要求情報に含まれる前記暗号化された識別情報を復号化する送信側復号化ステップと、
前記送信端末が、前記送信側復号化ステップで復号化した識別情報が、前記送信端末が記憶している識別情報となる場合に、前記要求情報を送信した端末が前記受信端末であると認証する認証ステップと、
前記送信端末が、前記受信端末に送信する情報を暗号化する送信側暗号化ステップと、
前記送信端末が、前記認証ステップで前記受信端末を認証した場合に、前記送信側暗号化ステップで暗号化した情報を送信する情報送信ステップと、
前記受信端末が、予め設定された前記識別情報を暗号化する受信側暗号化ステップと、
前記受信端末が、前記受信側暗号化ステップで暗号化した識別情報を含む前記要求情報を送信する要求送信ステップと、
前記受信端末が、前記情報送信ステップで送信された前記暗号化された情報を受信する情報受信ステップと、
前記受信端末が、前記情報受信ステップで受信した前記暗号化された情報を復号化する受信側復号化ステップと、
前記受信端末が、前記受信側復号化ステップで復号化した情報を表示する情報表示ステップと、
を備えることを特徴とする情報通信方法。
【符号の説明】
【００９７】
１０，１００…情報通信装置
１００′，１００″…情報通信システム
２０，２００，２００″…第１端末
２１，２１８ａ，２１９ａ…第１暗号化部
２２，２１８ｂ，２１９ｂ…要求送信部
２３，２１８ｃ，２１９ｃ…情報受信部
２４，２１８ｄ，２１９ｄ…第１復号化部
２５，２１８ｅ，２１９ｅ…情報表示部
３０，３００，３００′，３００″…第２端末
３１…識別記憶部
３０６…記憶部
３２，３１２ａ，３３１ａ…要求受信部
３３，３１２ｂ，３３１ｂ…第２復号化部
３４，３１２ｃ，３３１ｃ…認証部
３１２ｄ，３３１ｄ…識別更新部
３５，３１２ｅ，３３１ｅ…暗号化部
３６，３１２ｆ，３３１ｆ…情報送信部
【図１】
2013251762.tif 000003
【図２】
2013251762.tif 000004
【図３】
2013251762.tif 000005
【図４】
2013251762.tif 000006
【図５】
2013251762.tif 000007
【図６】
2013251762.tif 000008
【図７】
2013251762.tif 000009
【図８】
2013251762.tif 000010
【図９】
2013251762.tif 000011
【図１０】
2013251762.tif 000012
【図１１】
2013251762.tif 000013